(57)【要約】【課題】所定量の内容物を残した状態でポンプによる内容物の取り出しを停止して、内容物の残量が少なくなったことをユーザーに認識させ、さらに内容物の補充や新規購入が必要であることを認識させることができ、しかも残存する内容物を簡単な操作で迅速に取り出せるポンプ付き容器を提供する。【解決手段】容器本体１に、内容物Ｃの殆どを収容する主室５と、数回分の使用量に相当する予備内容物Ｃ１を収容する予備室６とを設ける。予備室６に、予備室６の容積を減少して予備内容物Ｃ１を主室５側へ送る送出具２６を設ける。ポンプ３による主室５の内容物Ｃの取り出しが不能となった時点で、内容物の残りが少なくなったことをユーザーに認識させることができる。この後、送出具２６を予備室６の容積が減少する向きに変位操作して予備内容物Ｃ１を主室５側へ送出し、ポンプ３で取り出せるようにする。【選択図】図１
2010189026.tif 000002
【特許請求の範囲】
【請求項１】
液状の内容物（Ｃ）を収容する容器本体（１）と、容器本体（１）の上部に装着されて内容物（Ｃ）を取り出すためのポンプ（３）と、ポンプ（３）の吸込口に連結されて内容物（Ｃ）を容器本体（１）の底面側から吸い込む吸引パイプ（１５）とを備えており、
容器本体（１）は、内容物（Ｃ）の殆どを収容する上方の主室（５）と、数回分の使用量に相当する予備内容物（Ｃ１）を収容する下方の予備室（６）とを備えており、
予備室（６）に、予備室（６）の容積を減少して予備内容物（Ｃ１）を主室（５）側へ送る送出具（２６）が設けられており、
ポンプ（３）による主室（５）の内容物（Ｃ）の取り出しが不能となった時点で、送出具（２６）を予備室（６）の容積が減少する向きに変位操作して、主室（５）側へ送出された予備内容物（Ｃ１）をポンプ（３）で取り出すことができることを特徴とするポンプ付き容器。
【請求項２】
容器本体（１）の内部に、主室（５）を上側の気相部（５Ａ）と、下側の液相部（５Ｂ）とに区分する仕切体（７）が配置されており、
仕切体（７）は、主室（５）内の液相部（５Ｂ）の液位変化に追随しながら吸引パイプ（１５）に沿って下降摺動できるように設けられており、
仕切体（７）の下摺動限界位置より下方に予備室（６）が配置してある請求項１に記載のポンプ付き容器。
【請求項３】
予備室（６）が、容器本体（１）の主筒壁（１ａ）に連続して下向きに開口する下筒壁（１ｂ）と、下筒壁（１ｂ）に装着した底蓋（２５）とで区画されて、底蓋（２５）の内面側に送出具（２６）が配置されており、
送出具（２６）は、予備内容物（Ｃ１）を主室（５）へ向かって送出する弁体（３４）と、底蓋（２５）に開口した操作開口（３２）を介して予備室（６）の外面に臨む操作体（３８）とを含んで構成されており、
送出具（２６）の移動を規制する規制構造が、操作体（３８）の近傍に設けられており、
規制構造の規制機能を解除した状態において、送出具（２６）を予備室（６）の容積が減少する向きに移動できる請求項１または２に記載のポンプ付き容器。
【請求項４】
規制構造が互いに係合する一対の係合体（３３・４０）で構成されており、
係合体（３３・４０）の一方が操作開口（３２）の開口周縁壁に、他方が開口周縁壁に臨む送出具（２６）の下面に形成してある請求項３に記載のポンプ付き容器。
【請求項５】
スタンドを兼ねる底キャップ（４）が容器本体（１）の底に回転自在に装着されて、下筒壁（１ｂ）と底蓋（２５）の外面を覆っており、
規制構造が、操作体（３８）に形成したねじ体（４８）と、底キャップ（４）の内面に設けられて、ねじ体（４８）と噛み合うねじ体（４９）とで構成されており、
送出具（２６）が、底蓋（２５）と送出具（２６）との間に設けた回り止め構造で回転不能に保持してある請求項３に記載のポンプ付き容器。
【請求項６】
スタンドを兼ねる底キャップ（４）が容器本体（１）の底に装着されて、下筒壁（１ｂ）と底蓋（２５）の外面を覆っており、
底キャップ（４）の内面に、操作体（３８）の少なくとも一部を収容して、操作体（３８）が不用意に押し込み操作されるのを防護する筒ボス（４４）が設けてある請求項３または４に記載のポンプ付き容器。
【請求項７】
容器本体（１）の内部に、主室（５）を上側の気相部（５Ａ）と、下側の液相部（５Ｂ）とに区分する仕切体（７）が配置されており、
仕切体（７）は、主室（５）内の液相部（５Ｂ）の液位変化に追随しながら吸引パイプ（１５）に沿って下降摺動できるように設けられており、
仕切体（７）の中央部分に、吸引パイプ（１５）の外周面に密着するボス部（２２）が設けられており、
ボス部（２２）が、上ボス（６１）および下ボス（６２）で構成されており、
上ボス（６１）および下ボス（６２）は、それぞれ径方向へ弾性変形可能なテーパー状のシール筒（６３・７０）を有し、
両シール筒（６３・７０）の突端に、吸引パイプ（１５）の外周面に接触するシール部（６６・７２）が形成してある請求項１から６のいずれかに記載のポンプ付き容器。
【発明の詳細な説明】
【技術分野】
【０００１】
本発明は、化粧水や、シャンプー、リンスなどの頭髪用洗浄液に代表される液状の内容物を取り出すためのポンプを備える容器に関する。
【背景技術】
【０００２】
この種のポンプ付き容器の基本構造は、本出願人が先に提案した特許文献１に公知である。そこではポンプ付き容器を、容器本体と、液状の内容物を取り出すためのポンプと、容器本体の内部を上側の気相部と下側の液相部とに区分する仕切体などで構成している。仕切体は、液相部の液位の変化に追随して下方摺動でき、内容物が空気に触れて酸化あるいは変質するのを防止する。ポンプの吸込口には、容器本体の内底に達する吸引パイプが連結してあり、内容物を容器本体の底側部分から吸引して取り出すことができる。容器本体の底壁は吸引パイプの吸引口に向かって低くなるように形成してある。
【０００３】
上記のポンプ付き容器は、吸引パイプの吸引口を底壁の最も低い位置に臨ませているため、内容物を最後まで無駄なく使い切ることができる。しかし、前回の使用時に必要量の内容物を取り出すことができた場合には、内容物の残量が１回分の使用量に満たなかったとしても、ユーザーがそのことを意識することは少ない。殆どの場合は、ポンプによる内容物の取り出しができなくなって始めて、容器が空になったことを認識する。そのため、内容物を補充し、あるいは内容物入りのポンプ付き容器を新たに購入するまでの間、不自由な思いをすることになる。
【０００４】
上記のような不具合を解消するために、数回分の使用量が残る状態でポンプによる内容物の取り出しを停止して、その残量が少なくなったことをユーザーが認識できるようにしたポンプ付き容器が提案されている（特許文献２）。そこでは、内容物の上面を平坦にする浮蓋が容器本体の内部に配置してあり、吸引パイプの下部に設けたストッパーで浮蓋の下降摺動を規制して、ポンプによる内容物の取り出しを停止し、所定量の内容物を残すようにしている。ストッパーはフランジ状に形成してあり、吸引パイプに形成した周回状の溝で受け止められている。ポンプによる内容物の取り出しが停止された状態では、残った内容物の上面の形状がすり鉢状になる。
【０００５】
容器内に残る内容物を取り出すときは、容器本体にねじ込み連結されたポンプを容器本体から緩めて分離し、浮蓋を容器本体の上蓋で受け止めた状態でポンプを介して吸引パイプを強制的に引き抜き、ストッパーと吸引パイプの溝との係合を解除して、浮蓋を吸引パイプの溝より下方に位置させる。この状態でポンプを容器本体に再びねじ込むことにより、残った内容物をポンプで吸引することができる。
【先行技術文献】
【特許文献】
【０００６】
【特許文献１】特開２００３−２６７４１６号公報（段落番号００１９、図１参照）
【特許文献２】特開２００７−２６１６８０号公報（段落番号００１４、図２参照）
【発明の概要】
【発明が解決しようとする課題】
【０００７】
特許文献２のポンプ付き容器によれば、所定量の内容物を残した状態でポンプによる内容物の取り出しを停止して、内容物の残量が少なくなったことをユーザーに認識させることができる。しかし、容器内に残る内容物を取り出す際には、ポンプを容器本体から分離して浮蓋の位置を下降させ、ポンプを再び容器本体にねじ込む必要があるため、一連の操作に多くの手間と時間が掛かり煩わしい。ポンプを着脱する間に、内容物が空気に晒されてしまう不利もある。
【０００８】
また、浮蓋がストッパーで受け止められた状態において、内容物がすり鉢状に残ることを前提とするので、内容物の粘度が低い場合にすり鉢形状を保持できず、吸引パイプの吸引口の位置まで内容物が取り出されてしまい、充分な量の内容物を残せなくなる。また、容器本体を傾斜姿勢で収納する場合には、内容物が吸引パイプの吸引口を覆うように流動して、次回使用時に残存する内容物がポンプで取り出されるおそれがあり、この場合にも充分な量の内容物を確実に残せないことがある。
【０００９】
本発明の目的は、数回分の使用量に相当する内容物を残した状態で、ポンプによる内容物の取り出しを一旦停止して、内容物の残量が少なくなったことをユーザーに認識させ、さらに内容物の補充や新規購入が必要であることを認識させることができ、しかも、容器内に残る内容物を取り出すための操作を簡便化して、内容物を迅速に取り出すことができるポンプ付き容器を提供することにある。
本発明の目的は、内容物の粘度が低い場合であっても、適量の内容物を残した状態でポンプによる内容物の取り出しを停止でき、低粘度の内容物から比較的粘度が高い内容物まで広範に適用できる、汎用性に優れたポンプ付き容器を提供することにある。
本発明の目的は、容器本体が傾斜姿勢で収納される場合であっても、適量の内容物を残した状態でポンプによる内容物の取り出しを停止でき、しかも、使用開始から内容物を使い切るまで、内容物が空気に触れるのを防止できるポンプ付き容器を提供することにある。
【課題を解決するための手段】
【００１０】
本発明に係るポンプ付き容器は、図１および図２に示すように、液状の内容物Ｃを収容する容器本体１と、容器本体１の上部に装着されて内容物Ｃを取り出すためのポンプ３と、ポンプ３の吸込口に連結されて内容物Ｃを容器本体１の底面側から吸い込む吸引パイプ１５とを備えている。容器本体１は、内容物Ｃの殆どを収容する上方の主室５と、数回分の使用量に相当する予備内容物Ｃ１を収容する下方の予備室６とを備えている。予備室６に、予備室６の容積を減少して予備内容物Ｃ１を主室５側へ送る送出具２６を設ける。ポンプ３による主室５の内容物Ｃの取り出しが不能となった時点で、送出具２６を予備室６の容積が減少する向きに変位操作する。以て、主室５側へ送出された予備内容物Ｃ１をポンプ３で取り出すようにする。
【００１１】
図３に示すように、容器本体１の内部に、主室５を上側の気相部５Ａと、下側の液相部５Ｂとに区分する仕切体７を配置する。仕切体７は、主室５内の液相部５Ｂの液位変化に追随しながら吸引パイプ１５に沿って下降摺動できるように設ける。仕切体７の下摺動限界位置より下方に予備室６を配置する。
【００１２】
図１に示すように、予備室６は、容器本体１の主筒壁１ａに連続して下向きに開口する下筒壁１ｂと、下筒壁１ｂに装着した底蓋２５とで区画し、底蓋２５の内面側に送出具２６を配置する。送出具２６は、予備内容物Ｃ１を主室５へ向かって送出する弁体３４と、底蓋２５に開口した操作開口３２を介して予備室６の外面に臨む操作体３８とを含んで構成する。送出具２６の移動を規制する規制構造を、操作体３８の近傍に設ける。以て、規制構造の規制機能を解除した状態において、送出具２６を予備室６の容積が減少する向きに移動できるようにする。
【００１３】
図１に示すように、規制構造は、互いに係合する一対の係合体３３・４０で構成する。係合体３３・４０の一方は操作開口３２の開口周縁壁に、他方は開口周縁壁に臨む送出具２６の下面に形成する。
【００１４】
図１に示すように、スタンドを兼ねる底キャップ４を容器本体１の底に回転自在に装着して、下筒壁１ｂと底蓋２５の外面を覆うようにする。規制構造は、図１１に示すように、操作体３８に形成したねじ体４８と、底キャップ４の内面に設けられて、ねじ体４８と噛み合うねじ体４９とで構成する。送出具２６は、底蓋２５と送出具２６との間に設けた回り止め構造で回転不能に保持する。
【００１５】
図１に示すように、スタンドを兼ねる底キャップ４を容器本体１の底に装着して、下筒壁１ｂと底蓋２５の外面を覆うようにする。底キャップ４の内面に、操作体３８の少なくとも一部を収容して、操作体３８が不用意に押し込み操作されるのを防護する筒ボス４４を設ける。
【００１６】
容器本体１の内部に、主室５を上側の気相部５Ａと、下側の液相部５Ｂとに区分する仕切体７を配置する。仕切体７は、主室５内の液相部５Ｂの液位変化に追随しながら吸引パイプ１５に沿って下降摺動できるように設ける。仕切体７の中央部分に、吸引パイプ１５の外周面に密着するボス部２２を設ける。ボス部２２は、上ボス６１および下ボス６２で構成する。上ボス６１および下ボス６２は、それぞれ径方向へ弾性変形可能なテーパー状のシール筒６３・７０を有する。両シール筒６３・７０の突端に、吸引パイプ１５の外周面に接触するシール部６６・７２を形成する。
【発明の効果】
【００１７】
本発明においては、容器本体１に内容物Ｃの殆どを収容する主室５と、数回分の使用量に相当する予備内容物Ｃ１を収容する予備室６とを設け、予備室６内に設けた送出具２６を操作することにより、予備室６内の予備内容物Ｃ１を主室５へ送出できるようにした。したがって、本発明のポンプ付き容器によれば、主室５内の内容物Ｃを消費し切った時点で、ポンプ３による内容物の取り出しを一旦停止して、内容物の残量が少なくなったことをユーザーに認識させ、さらに内容物の補充や新規購入が必要であることを認識させることができる。
【００１８】
また、ポンプ３による内容物の取り出しが停止したのちは、送出具２６で予備室６内の予備内容物Ｃ１を主室５側へ送出して、所定量の予備内容物Ｃ１をポンプで取り出すことができるので、内容物を補充し、あるいは新規購入するまでの間、ユーザーが不自由を感じることもない。さらに、予備室６側に設けた送出具２６を操作して、予備内容物Ｃ１を主室５側へ送出するので、従来のこの種のポンプ付き容器に比べて、容器内に残る内容物を取り出すための操作を著しく簡便化して、内容物を迅速に取り出すことができる。
【００１９】
さらに、本発明においては、内容物の粘度が低い場合であっても、適量の内容物を確実に残した状態で、ポンプ３による内容物の取り出しを停止でき、低粘度の内容物から比較的粘度が高い内容物まで広範に適用できる、汎用性に優れたポンプ付き容器が得られる。同様に、容器本体１が傾斜姿勢で収納される場合であっても、適量の内容物を確実に残した状態でポンプ３による内容物の取り出しを停止できる。
【００２０】
容器本体１の内部に、液相部５Ｂの液位変化に追随して下降摺動する仕切体７を配置し、仕切体７の下摺動限界位置より下方に予備室６を配置すると、仕切体７が下摺動限界位置まで下降した状態でポンプ３による内容物の取り出しを停止できる。したがって、常に所定量の予備内容物Ｃ１が予備室６に確実に残る状態でポンプ３による内容物の取り出しを停止して、内容物が補充され、あるいは新規購入されるまでの時間を、残った予備内容物Ｃ１を使用することで稼ぐことができる。さらに、使用開始から内容物を使い切るまで、内容物が空気に触れるのを仕切体７で確実に防止できる利点もある。
【００２１】
予備室６を下筒壁１ｂと底蓋２５とで区画し、底蓋２５の内面側に配置した送出具２６の移動を規制構造で規制し、その規制機能を解除した状態において、送出具２６を予備室６の容積が減少する向きに移動できるようにすると、不用意に送出具２６が移動するのを確実に規制できる。例えば、落下衝撃を受けた送出具２６が、予備室６の容積を減少する向きに移動することを規制できる。つまり、ユーザーが明確な意図を持って送出具２６を操作し、規制構造の規制機能を解除するまでは、送出具２６の移動を確実に規制して、主室５内の内容物Ｃが消費されるまでの間、所定量の予備内容物Ｃ１を予備室６に確実に残すことができる。
【００２２】
底蓋２５の操作開口３２の開口周縁壁に設けた係合体３３と、開口周縁壁に臨む送出具２６の下面に形成した係合体４０とで規制構造を構成すると、送出具２６に設けた操作体３８を予備室６の内部へ向かって単に押し込み操作するだけで、規制構造の規制機能を解除できる。したがって、ポンプ３による内容物の取り出しが停止した後の、容器内に残る内容物を取り出すための手間を省いて、内容物をさらに迅速に取り出すことができる。なお、規制構造の規制機能が解除された後の送出具２６は、ポンプ３による内容物の取り出しに追随して送出具２６が徐々に上昇する形態と、送出具２６が限界位置まで一気に押し込み操作される形態のいずれであってもよい。
【００２３】
スタンドを兼ねる底キャップ４を容器本体１の底に回転自在に装着し、操作体３８に形成したねじ体４８と、底キャップ４に設けたねじ体４９とで規制構造を構成すると、底キャップ４を回転操作することで規制構造の規制機能を解除できる。したがって、操作体３８を操作するための道具や工具を用意する必要がなく、必要時には手軽にしかも速やかに操作体３８を予備室６の容積が減少する向きに変位操作できる。送出具２６を、底蓋２５と送出具２６との間に設けた回り止め構造で回転不能に保持するのは、底キャップ４を回転操作するとき、送出具２６が底キャップ４と連れ回りするのを阻止して、規制構造の規制機能を確実に解除するためである。
【００２４】
スタンドを兼ねる底キャップ４を容器本体１の底に装着して、底キャップ４の内面に設けた筒ボス４４の内部に操作体３８の少なくとも一部を収容すると、通常の使用状態において、操作体３８がユーザーの不注意で押し込み操作されるのを防止できる。また、操作体３８が他物と衝突し、あるいは落下衝撃を受けて押し込み操作されるのを、底キャップ４で確実に防止でき、全体として誤使用や不注意による機能破壊を生じることのない信頼性に優れたポンプ付き容器が得られる。
【００２５】
仕切体７に設けられるボス部２２を上ボス６１および下ボス６２で構成し、両ボス６１・６２を、テーパー状のシール筒６３・７０と、両シール筒６３・７０の突端に設けられるシール部６６・７２で構成すると、吸引パイプ１５の外周面の上下２個所を同時にシールできる。したがって、仕切体７による気相部５Ａと液相部５Ｂとの区分をより確実に行なって、内容物Ｃに空気が触れるのを防止できる。また、両ボス６１・６２のシール筒６３・７０を径方向へ弾性変形可能に構成するので、吸引パイプ１５の外直径寸法のばらつきをシール筒６３・７０が弾性変形することで吸収でき、これにより内容物Ｃの液位の変化に追随して仕切体７を円滑に下降摺動できる。
【図面の簡単な説明】
【００２６】
【図１】予備室とその周辺構造を示す縦断面図である。
【図２】ポンプ付き容器の側面図である。
【図３】ポンプ付き容器の縦断側面図である。
【図４】ポンプ付き容器の一部を破断した分解側面図である。
【図５】予備内容物の取り出し状態を示す縦断面図である。
【図６】製造時における内容物の充填形態を示す分解断面図である。
【図７】吸引パイプに対する仕切体のシール構造を示す断面図である。
【図８】上ボスのシール部を示す斜視図である。
【図９】図７におけるＡ−Ａ線断面図である。
【図１０】図７におけるＢ−Ｂ線断面図である。
【図１１】送出具の別の実施例を示す縦断面図である。
【発明を実施するための形態】
【００２７】
（実施例）  図１ないし図１０は本発明に係るポンプ付き容器の実施例を示す。図２においてポンプ付き容器は、液状の内容物Ｃを収容する容器本体１と、容器本体１の上部に装着される上蓋２と、内容物Ｃを取り出すポンプ３と、スタンドを兼ねて容器本体１の下部に装着される底キャップ４などで構成する。図４に示すように、容器本体１は、その大半を占める断面円形の大径の主筒壁１ａと、主筒壁１ａの下端に連続して形成される断面円形の小径の下筒壁１ｂとで形成してある。主筒壁１ａの内部に内容物Ｃの殆どを収容する主室５が区画され、下筒壁１ｂの内部に予備内容物Ｃ１を収容する予備室６が区画してある。容器本体１の内部には、主室５を上側の気相部５Ａと、下側の液相部５Ｂとに区分する仕切体７が配置してある。
【００２８】
上蓋２は、ポンプ３の支持台を兼ねており、ポンプ３が装着された上蓋２を容器本体１に圧嵌係合することにより、容器本体１の上開口を塞いでいる。図３においてポンプ３は、シリンダー９、ピストン１０、シリンダー９の吸込口および吐出口を開閉する吸入弁１１および吐出弁１２と、これら両弁を閉じ付勢する弁ばね１３などで構成してあり、従来ポンプと同じ構造に構成してある。シリンダー９の吸込口には吸引パイプ１５が連結してあり、シリンダー９の吐出口の側にはノズル１６を備えたノズルキャップ１７が連結してある。ノズルキャップ１７を弁ばね１３に抗して、繰り返し押し込み操作することにより、吸入弁１１および吐出弁１２を交互に開閉させて、主室５に収容された内容物Ｃを吸引パイプ１５を介してシリンダー９内に吸引し、さらにノズル１６を介して加圧送出できる。
【００２９】
仕切体７は、弾性に富むシリコーンゴムなどを素材とするプラスチック成形品からなり、その周面に設けられる摺動壁２０と、底壁２１と、底壁２１の中央に設けられるボス部２２などで上向きに開口する有底筒状に形成してある。摺動壁２０の上下には、主室５の内周面に密着するリップ部２３が設けてあり、ボス部２２の上下端は吸引パイプ１５の外周面に密着している。このように、リップ部２３およびボス部２２を、主室５の内周面および吸引パイプ１５の外周面で密着案内することにより、気相部５Ａ内の空気が液相部５Ｂ内の内容物Ｃに触れるのを確実に防止できる。仕切体７とシリンダー９との間には、仕切体７を押し下げ付勢するばね２４が配置してある。
【００３０】
吸引パイプ１５は押し出し成形法で形成されており、その外直径寸法に０．１〜０．１５ｍｍのばらつきがある。また、吸引パイプ１５の断面形状のばらつきもある。このようなばらつきがあると、例えば、内容物Ｃの液位が低下するとき、仕切体７の下降摺動を円滑に行なえないことがある。あるいは、吸引パイプ１５とボス部２２との間の隙間を介して、内容物Ｃが空気に晒され、あるいは、内容物Ｃが漏れ出るおそれがある。このような不具合を解消するために、仕切体７のボス部２２を図７ないし図１０に示すように構成している。
【００３１】
図７においてボス部２２は、上ボス６１と下ボス６２とで構成する。上ボス６１は、上すぼまりテーパー状のシール筒６３と、シール筒６３の下端に連続して形成される装着筒６４とを一体に備えている。装着筒６４を、底壁２１の中央上面に設けた連結ボス６５に外嵌することにより、上ボス６１を仕切体７と一体化できる。図８および図９に示すように、シール筒６３は他の部位よりも薄肉に形成されて、その上端開口にシール部６６が形成してある。シール筒６３の周囲５個所には、シール筒６３を保形するための補強リブ６７が等間隔おきに形成してある。補強リブ６７は、シール筒６３の上端より上方に突設してあり、上端部分の内面に吸引パイプ１５を差し込み案内するためのガイド面６８が下すぼまり状に形成してある。ガイド面６８の下端はシール部６６に連続している。シール部６６は、吸引パイプ１５の外周面に線接触状に外接して気密状態を維持しており、その直径寸法は吸引パイプ１５の外直径寸法（標準寸法）より僅かに小さく設定してある。
【００３２】
図７および図１０に示すように、下ボス６２は、底壁２１の下面側に突設される下すぼまりテーパー状のシール筒７０と、シール筒７０の周囲５個所に等間隔おきに形成した保形用の補強リブ７１とで構成する。シール筒７０は他の部位よりも薄肉に形成されて、その下端開口にシール部７２が設けてある。シール部７２の直径寸法は、上ボス６１のシール部６６の直径寸法と同じに設定してある。
【００３３】
上ボス６１のシール部６６、および下ボス６２のシール部７２は、それぞれシール筒６３・７０が拡径方向、あるいは縮径方向へ弾性変形することで、吸引パイプ１５の外直径寸法のばらつきを吸収する。したがって、内容物Ｃの液位が低下するときの仕切体７の下降摺動を円滑に行なうことができ、さらに、吸引パイプ１５とボス部２２との間の隙間を介して内容物Ｃが空気に晒され、あるいは内容物Ｃが漏れ出るのを確実に防止できる。
【００３４】
仕切体７は図３に示す最上端位置から、図１に示すように底壁２１の周縁寄りが主室５の底壁８で受け止められるまで、主室５内の液相部５Ｂの液位変化に追随して、シール状態を維持しながら下降摺動できる。仕切体７が下降して、主室５の底壁８で受け止められた下摺動限界位置においては、吸引パイプ１５の吸引口１８は仕切体７の底壁２１より下方に位置している。同様に、予備室６は仕切体７の下摺動限界位置より下方に配置してある。なお、気相部５Ａは、容器本体１と上蓋２との間に設けられた通気構造（不図示）を介して大気と常に連通している。
【００３５】
予備室６は、主室５内の内容物Ｃが消費された状態において、数回分の使用量に相当する予備内容物Ｃ１を収容するために設けてある。予備室６は、先に説明した下筒壁１ｂと、下筒壁１ｂの下面開口を塞ぐ底蓋２５とで区画する。底蓋２５の内面側には、予備内容物Ｃ１を主室５側へ送給するための送出具２６が配置してある。
【００３６】
図１において底壁２５は、下筒壁１ｂに下側から外嵌するねじ筒２８と、ねじ筒２８の下端に連続して上突状に形成される蓋壁２９と、蓋壁２９の中央上部に突設されるボス部３０とを一体に備えたプラスチック成形品からなる。ねじ筒２８の内面と下筒壁１ｂの外面との間には、互いに噛み合う雄ねじと雌ねじとからなるねじ構造３１が設けてあり、このねじ構造３１によって底壁２５が下筒壁１ｂに固定してある。ボス部３０には、下すぼまりテーパー状の操作開口３２が上下貫通状に形成してあり、操作開口３２の下側の開口周縁に係合段部（係合体）３３が形成してある。
【００３７】
送出具２６は、予備内容物Ｃ１を主室５へ向かって送出する弁体３４と、操作体３８とを一体に備えたポリエチレン製のプラスチック成形品からなる。弁体３４は、下筒壁１ｂの内周壁に密着する摺動壁３５と、摺動壁３５の内面に連続する区分壁３６と、区分壁３６の中央において下すぼまりテーパー状に凹む凹部壁３７とで構成する。操作体３８は棒状に形成されて、凹部壁３７の下面から下向きに突設してある。送出具２６を底蓋２５の内面側に組み付けた状態において、凹部壁３７は操作開口３２に密着する状態で受け止められており、操作体３８はその殆どの部分が操作開口３２より下方に、したがって予備室６の外面に突出している。摺動壁３５の周面上下には、下筒壁１ｂの内周壁に密着するリップ部３９が形成してある。
【００３８】
上記のように送出具２６は、下筒壁１ｂの下面開口を底蓋２５の内面側において封止して、実質的に予備室６を区画し予備内容物Ｃ１を封止している。主室５に収容された内容物Ｃがポンプ３で消費されるまでの間、送出具２６が主室５側へ移動するのを規制するために、操作体３８の近傍、詳しくは底蓋２５の操作開口３２と凹部壁３７の底壁周縁との間に規制構造を設けている。規制構造は、先に説明した係合段部３３と、凹部壁３７の底壁周縁に周回状に張り出した係合リング（係合体）４０とからなり、係合リング４０の外周面を係合段部３３の内周縁で受け止めて、常態において送出具２６が上向きに移動するのを規制している。なお、送出具２６と底蓋２５との間の空間は、図示していないスリットを介して大気と連通してある。
【００３９】
図１に示すように底キャップ４は、上向きに開口する有底筒状のプラスチック成形品からなり、丸筒からなる筒壁の内面に周回状の係合リブ４３が形成してあり、平坦な底壁の中央に操作体３８を収容する筒ボス４４が形成してある。底蓋２５のねじ筒２８の外面には、先の係合リブ４３に対応して係合リブ４５が形成してあり、両係合リブ４３・４５を係合することにより、底キャップ４が底蓋２５に対して分離不能に固定されて、下筒壁１ｂと底蓋２５の外面を覆っている。この状態の筒壁は、容器本体１の主筒壁１ａの周面と面一状になっている。筒ボス４４は、通常の使用状態において操作体３８が不用意に押し込み操作されるのを防護するために設けてある。
【００４０】
次に、ポンプ付き容器の使用法を説明する。使用開始状態における仕切体７は、図３に示す位置にある。ノズルキャップ１７でポンプ３を押し下げ操作して内容物Ｃを取り出すと、ポンプ３の吸引作用で内容物Ｃがノズル１６から送出され、この送出量に見合う分だけ内容物Ｃの液位が下がり、同時に液位の低下に追随して仕切体７が主筒壁１ａの内面および吸引パイプ１５に沿って下降する。内容物Ｃが消費されるのに伴ない内容物Ｃの液位は徐々に低下し、主室５内の内容物Ｃが消費された状態では、内容物Ｃの液位は吸引パイプ１５の吸引口１８の高さ位置まで低下する。この状態では、ポンプ３による内容物の取り出しを行なうことができないので、ユーザーは内容物の残量が予備内容物Ｃ１だけになったことを認識でき、さらに、ユーザーに対して内容物の補充や新規購入が必要であることを認識させることができる。
【００４１】
上記のように、内容物の取り出しが不能になった以後は、筒ボス４４の下開口から操作体３８を予備室６へ向かって上側へ押し込み操作して、図５に示すように、係合リング４０を弾性変形させながら、一対の係合体３３・４０の係合状態を解除する。これにより、送出具２６は上向きに移動して予備室６の容積を減少させ、その分だけ予備内容物Ｃ１の液位を吸引口１８よりも上側へ上昇させる。したがって、予備内容物Ｃ１をポンプ３で取り出すことができる。基本的に、操作体３８は棒状体を筒ボス４４の内面に差し込んで押し込み操作する。しかし、適当な大きさの棒状体がない場合には、底キャップ４を取り外して、底蓋２５の外に露出する操作体３８を手指で押し込み操作して、係合体３３・４０の係合状態を解除することができる。
【００４２】
一対の係合体３３・４０の係合状態を解除するときの操作体３８の押し込み量は、少なくとも一対の係合体３３・４０の係合を解除できる量であれば足りる。以後の係合リング４０は、図５に示すように、その周縁が操作開口３２に沿って自由に上方移動できるので、予備内容物Ｃ１がポンプ３で取り出されるのに伴なって、送出具２６を予備内容物Ｃ１とともに上昇移動できる。最終的には、図５に想像線で示すように、送出具２６は摺動壁３５の上側のリップ部３９が下筒壁１ｂの内面上端に設けた規制段部４６で受け止められる位置まで上向きに摺動する。規制段部４６は、勢い余って押し込み操作された送出具２６を受け止めて、送出具２６が主室５側へ入り込むのを規制できる。
【００４３】
以上のように本発明では、主室５内の内容物Ｃを消費したのちは、送出具２６に設けた操作体３８を押し込み操作して、送出具２６を押し上げることにより、予備室６内の予備内容物Ｃ１の液位を上昇できるので、より少ない手間で予備内容物Ｃ１を迅速に取り出すことができる。また、従来のこの種のポンプ付き容器に比べて、予備内容物Ｃ１を取り出すための一連の操作を著しく簡便化できる。
【００４４】
以上のように構成した、ポンプ付き容器の組み立て、および内容部Ｃの充填は以下のようにして行なう。まず図６に示すように、底蓋２５、送出体２６、底キャップ４以外の部品を容器本体１に組み付けておく。また、底蓋２５に送出具２６を圧嵌係合して、両者を一体化しておく。容器本体１を上下に反転した状態で、所定量の内容物Ｃを、予備室６の開口を利用して容器本体１の内部に充填する。次に、送出具２６の摺動壁３５を予備室６内に嵌め込みながら、底蓋２５を下筒壁１ｂに限界位置までねじ込んで、底蓋２５を容器本体１と一体化する。最後に底キャップ４を底蓋２５に対して圧嵌係合して、底キャップ４を容器本体１と一体化する。最後に、ノズルキャップ１７の外面に保護キャップ４７（図２参照）を装着してポンプ付き容器を完成する。上記と同様にして、内容物の補充をユーザー自身が行なうこともできる。
【００４５】
容器本体１に充填するときの内容物Ｃの量が多いと、底蓋２５を下筒壁１ｂにねじ込む過程で内容物Ｃの一部が溢れ出ることがある。しかし、仕切体７をばね２４で移動付勢しておくと、底蓋２５で押し込まれた内容物Ｃの圧力が上昇するのに応じて、仕切体７がばね２４の付勢力に抗して内容物Ｃの圧力と釣り合う位置まで上蓋２側へ移動するので、内容物Ｃの一部が溢れ出るのを防止できる。
【００４６】
図１１は、本発明に係るポンプ付き容器の別の実施例を示す。そこでは、短軸状の操作体３８の外周面に形成した雄ねじ（ねじ体）４８と、底キャップ４の内面中央に設けたねじボス（ねじ体）４９とで規制構造を構成した。底キャップ４を回転操作すると、雄ねじ４８とねじボス４９との噛み合いが解除される。したがって送出具２６の拘束状態を解除して、送出具２６を上方移動可能な状態に開放することができる。底キャップ４を回転操作するとき、送出具２６が連れ回りするのを防ぐために、送出具２６と底蓋２５との間に回り止め構造を設けている。回り止め構造は、区分壁３６の下面側に設けたリブ状の突起５０と、突起５０に対応して底蓋２５の操作開口３２の内面に設けた係合溝５１とで構成する。また、底キャップ４と容器本体１の接合面に浅い周回凹部を形成し、周回凹部に粘着テープ５２を周回状に貼着して、粘着テープ５２を剥離して除去しない限りは、底キャップ４を回転操作できないようにした。他は先の実施例と同じであるので、同じ部材に同じ符号を付してその説明を省略する。
【００４７】
上記の実施例では、一対の係合体３３・４０の係合状態を解除した後に、ポンプ３による予備内容物Ｃ１の取り出し動作に連動して送出具２６を上方摺動させるようにしたが、その必要はない。例えば、一対の係合体３３・４０の係合状態を解除するのと同時に、送出具２６を規制段部４６で規定される上昇限界位置まで押し上げて、予備内容物Ｃ１をポンプ３で取り出すことができる。同様に、送出具２６は、図１１で説明した雄ねじ４８とねじボス４９のねじ送り動作によって、規制段部４６で規定される上昇限界位置まで押し上げ移動することができる。あるいは、送出具２６を雄ねじ４８とねじボス４９のねじ送り動作で少しずつ押し上げ操作してもよい。
【００４８】
予備室６は容器本体１とは別体に形成した中空体で形成することができる。例えば、エルボ状の中空体で予備室６を形成することができる。その場合には、送出具２６を横向きに開口する予備室６に沿って、容器本体１の中心軸線と交差する向き（径方向）に押し込み操作して、予備室６内の予備内容物Ｃ１を主室５側へ送出することができる。このように、予備室６の容積を減少させるための送出具２６の移動方向は、上下、左右、前後方向の任意方向に変更でき、必要があれば斜め方向に移動操作して予備室６の容積を減少させることができる。
【００４９】
本発明におけるポンプ付き容器は、内容物Ｃが酸化、あるいは変質しにくいものである場合には、仕切体７を省略することができる。その場合には、吸引口１８より下側の空間が予備室６となる。送出体７の移動を規制する規制構造は、送出体７と下筒壁１ｂとの間に設けることができる。底蓋２５の構造によっては、底キャップ４を省略して、底蓋２５がスタンドを兼ねるようにしてもよい。
【符号の説明】
【００５０】
１  容器本体
３  ポンプ
５  主室
５Ａ  気相部
５Ｂ  液相部
６  予備室
１５  吸引パイプ
２５  底蓋
２６  送出具
３２  操作開口
３４  弁体
３８  操作体
Ｃ  内容物
Ｃ１  予備内容物
【図１】
2010189026.tif 000003
【図２】
2010189026.tif 000004
【図３】
2010189026.tif 000005
【図４】
2010189026.tif 000006
【図５】
2010189026.tif 000007
【図６】
2010189026.tif 000008
【図７】
2010189026.tif 000009
【図８】
2010189026.tif 000010
【図９】
2010189026.tif 000011
【図１０】
2010189026.tif 000012
【図１１】
2010189026.tif 000013